(57)【要約】【課題】マッサージ機構を臀部から太ももまでの施療部に移動させるガイド機構に簡単な構造を採用しつつも、座面から離れた位置にマッサージ機構を確実に収納する。【解決手段】本発明の椅子型マッサージ機１は、座部２と、座部２に着座した使用者の臀部を施療する座部マッサージ機構６と、座部２の内側に設けられると共に座部マッサージ機構６を前後方向に案内する座部ガイドレール７と、背もたれ部３と、背もたれ部３にもたれかかる使用者の背部を施療する背部マッサージ機構８と、背部の内側に設けられると共に背部に沿って背部マッサージ機構８を上下方向に案内する背部ガイドレール９と、を備えた椅子型マッサージ機１であって、座部ガイドレール７は、座部２の内側において、背部ガイドレール９の下端に位置する背部マッサージ機構８のさらに下方を指向するように、後方下側に向かって延設されている。【選択図】図４
2019141571.tif 000002
【特許請求の範囲】
【請求項１】
座部と、座部に着座した使用者の臀部を施療する座部マッサージ機構と、前記座部の内側に設けられると共に座部マッサージ機構を前後方向に案内する座部ガイドレールと、背もたれ部と、背もたれ部にもたれかかる使用者の背部を施療する背部マッサージ機構と、前記背部の内側に設けられると共に背部に沿って背部マッサージ機構を上下方向に案内する背部ガイドレールと、を備えた椅子型マッサージ機であって、
前記座部ガイドレールは、前記座部の内側において、前記背部ガイドレールの下端に位置する背部マッサージ機構のさらに下方を指向するように、後方下側に向かって延設されている
ことを特徴とする椅子型マッサージ機。
【請求項２】
前記座部マッサージ機構は、前記臀部の施療部を下方から揉みマッサージする下揉みマッサージ部材と、前記下揉みマッサージ部材の左右方向の外側に設けられて前記臀部の施療部を側方から揉みマッサージする横揉みマッサージ部材と、を備えている
ことを特徴とする請求項１に記載の椅子型マッサージ機。
【請求項３】
前記背部マッサージ機構は、使用者の背部を施療する背部マッサージ部材を備えており、
前記座部マッサージ機構を座部ガイドレールの後端に案内すると共に、前記背部マッサージ機構を背部ガイドレールの下端に案内し且つ位置させた際に、前記座部マッサージ機構の下揉みマッサージ部材は、前記背部ガイドレールの下端に位置する背部マッサージ機構のさらに下方に位置するように構成されている
ことを特徴とする請求項２に記載の椅子型マッサージ機。
【請求項４】
前記座部マッサージ機構を座部ガイドレールの後端に案内すると共に、前記背部マッサージ機構を背部ガイドレールの下端に案内し且つ位置させた際に、前記座部マッサージ機構の横揉みマッサージ部材が、前記背部ガイドレールの下端に位置する背部マッサージ機構のさらに幅方向の外側に位置するように構成されている
ことを特徴とする請求項２または３に記載の椅子型マッサージ機。
【請求項５】
前記座部マッサージ機構の横揉みマッサージ部材は、前後方向に距離をあけて配備された前施療子及び後施療子と、これらの施療子を支持する前アーム部材及び後アーム部材と、を有しており、
前記押圧マッサージ部材は、前記前施療子及び後施療子が同じ高さを維持したまま、前記座部ガイドレールに沿って移動可能とされている
ことを特徴とする請求項２〜４のいずれかに記載の椅子型マッサージ機。
【請求項６】
前記座部ガイドレールは、前記背部ガイドレールの下端までの高さの1/2程度に後端が位置する構成とされている
ことを特徴とする請求項１〜５のいずれかに記載の椅子型マッサージ機。
【請求項７】
前記座部ガイドレールは、前記背部マッサージ機構のさらに下方を指向するように、後方下側に向かって傾斜した略直線状に延設されている
ことを特徴とする請求項１〜６のいずれかに記載の椅子型マッサージ機。
【請求項８】
前記横揉みマッサージ部材は、当該横揉みマッサージ部材の上端側を前記マッサージ部材の下端側に対して、幅方向に沿って揺動可能とする揺動部を備えていることを特徴とする請求項２〜７のいずれかに記載の椅子型マッサージ機。
【請求項９】
前記揺動部は、駆動側に連結された下部マッサージ体と、前記下部マッサージ体の上方に配備された上部マッサージ体と、前記下部マッサージ体に対して上部マッサージ体を前後方向を向く軸回りに揺動自在に連結する連結部と、前記下部マッサージ体に対して上部マッサージ体を幅方向内側に向かって弾性的に押圧する弾性部材と、を有している
ことを特徴とする請求項８に記載の椅子型マッサージ機。
【請求項１０】
前記下部マッサージ体に対する上部マッサージ体の幅方向における傾斜角度の変化を計測することで、前記座部に着座した使用者の体型を判断する体型計測センサが設けられている
ことを特徴とする請求項９に記載の椅子型マッサージ機。
【請求項１１】
座部と、座部に着座した使用者の臀部を施療する座部マッサージ機構と、を備えた椅子型マッサージ機であって、
前記座部マッサージ機構は、前記臀部の施療部を側方から揉みマッサージする横揉みマッサージ部材を備えており、
前記横揉みマッサージ部材は、当該横揉みマッサージ部材の上端側を前記マッサージ部材の下端側に対して、幅方向に沿って揺動可能とする揺動部を備えていることを特徴とする椅子型マッサージ機。
【請求項１２】
前記揺動部は、駆動側に連結された下部マッサージ体と、前記下部マッサージ体の上方に配備された上部マッサージ体と、前記下部マッサージ体に対して上部マッサージ体を前後方向を向く軸回りに揺動自在に連結する連結部と、前記下部マッサージ体に対して上部マッサージ体を幅方向内側に向かって弾性的に押圧する弾性部材と、を有している
ことを特徴とする請求項１１に記載の椅子型マッサージ機。
【請求項１３】
前記下部マッサージ体に対する上部マッサージ体の幅方向における傾斜角度の変化を計測することで、前記座部に着座した使用者の体型を判断する体型計測センサが設けられている
ことを特徴とする請求項１２に記載の椅子型マッサージ機。
【発明の詳細な説明】
【技術分野】
【０００１】
本発明は、座部に着座した使用者の臀部から太ももに亘る施療部をマッサージする座部マッサージ機構を備えた椅子型マッサージ機に関するものである。
【背景技術】
【０００２】
従来より、機械式のマッサージ機構を用いて座部に着座した使用者の臀部の施療部をマッサージするマッサージ機としては、特許文献１のようなものが知られている。
特許文献１のマッサージ機は、背もたれ部と座部とが一体化したようなバケットシート型に形成されており、背もたれ部の上端から座部の前端までの広い範囲に亘って設けられるラック部に沿ってマッサージ機構を案内することにより、肩から太ももまでの広い範囲に対する施療を可能とするものとなっている。つまり、特許文献１のマッサージ機では、座部の下側にマッサージ機構を移動させれば、臀部の施療部に対して機械式のマッサージを施術することが可能となる。
【先行技術文献】
【特許文献】
【０００３】
【特許文献１】特開２０１４−１７１号公報
【発明の概要】
【発明が解決しようとする課題】
【０００４】
ところで、特許文献１のマッサージ機では、マッサージ機構を案内するラック部は、臀部から太ももまでの施療部を施療可能なように座面のすぐ下側に設置されている。このように座面に近い位置にラック部を設置すると、使用者が座面に着座した際に使用者の臀部が座部に沈み込んでラック部やマッサージ機構に当たり、痛みや異物感などの不快な使用感を使用者に与えてしまう可能性がある。
【０００５】
特に、椅子型マッサージ機として使用される場合には、リクライニングチェアのように使用者が単に腰掛けるだけの目的で使用されることもあり、着座した際に使用者に不快感を極力感じさせないような構造を採用するのが好ましい。
また、特許文献１のマッサージ機のラック部は、背もたれ部や座面の形状に合わせて複雑に湾曲した形状とされており、複雑な構造であるが故に製造コストも高騰しやすい。
【０００６】
本発明は、上述の問題に鑑みてなされたものであり、座部マッサージ機構を臀部から太ももまでの施療部に移動させる座部マッサージ移動機構に簡単な構造を採用しつつも、座面から離れた位置にマッサージ機構を確実に収納することができ、収納時においては、使用者に対して痛みや異物感などの不快な使用感を使用者に与えることのない椅子型マッサージ機を提供することを目的とする。
【課題を解決するための手段】
【０００７】
上記課題を解決するため、本発明の椅子型マッサージ機は以下の技術的手段を講じている。
即ち、本発明の椅子型マッサージ機は、座部と、座部に着座した使用者の臀部を施療する座部マッサージ機構と、前記座部の内側に設けられると共に座部マッサージ機構を前後方向に案内する座部ガイドレールと、背もたれ部と、背もたれ部にもたれかかる使用者の背部を施療する背部マッサージ機構と、前記背部の内側に設けられると共に背部に沿って背部マッサージ機構を上下方向に案内する背部ガイドレールと、を備えた椅子型マッサージ機であって、前記座部ガイドレールは、前記座部の内側において、前記背部ガイドレールの下端に位置する背部マッサージ機構のさらに下方を指向するように、後方下側に向かって延設されていることを特徴とする。
【０００８】
好ましくは、前記座部マッサージ機構は、前記臀部の施療部を下方から揉みマッサージする下揉みマッサージ部材と、前記揉みマッサージ部材の左右方向の外側に設けられて前記臀部の施療部を側方から揉みマッサージする横揉みマッサージ部材と、を備えているとよい。
好ましくは、前記背部マッサージ機構は、使用者の背部を施療する背部マッサージ部材を備えており、前記座部マッサージ機構を座部ガイドレールの後端に案内すると共に、前記背部マッサージ機構を背部ガイドレールの下端に案内し且つ位置させた際に、前記座部マッサージ機構の下揉みマッサージ部材は、前記背部ガイドレールの下端に位置する背部マッサージ機構のさらに下方に位置するように構成されているとよい。
【０００９】
好ましくは、前記座部マッサージ機構を座部ガイドレールの後端に案内すると共に、前記背部マッサージ機構を背部ガイドレールの下端に案内し且つ位置させた際に、前記座部マッサージ機構の横揉みマッサージ部材が、前記背部ガイドレールの下端に位置する背部マッサージ機構のさらに幅方向の外側に位置するように構成されているとよい。
好ましくは、前記座部マッサージ機構の横揉みマッサージ部材は、前後方向に距離をあけて配備された前施療子及び後施療子と、これらの施療子を支持する前アーム部材及び後アーム部材と、を有しており、前記押圧マッサージ部材は、前記前施療子及び後施療子が同じ高さを維持したまま、前記座部ガイドレールに沿って移動可能とされているとよい。
【００１０】
好ましくは、前記座部ガイドレールは、前記背部ガイドレールの下端までの高さの1/2程度に後端が位置する構成とされているとよい。
好ましくは、前記座部ガイドレールは、前記背部マッサージ機構のさらに下方を指向するように、後方下側に向かって傾斜した略直線状に延設されているとよい。
好ましくは、前記横揉みマッサージ部材は、当該横揉みマッサージ部材の上端側を前記マッサージ部材の下端側に対して、幅方向に沿って揺動可能とする揺動部を備えているとよい。
【００１１】
好ましくは、前記揺動部は、駆動側に連結された下部マッサージ体と、前記下部マッサージ体の上方に配備された上部マッサージ体と、前記下部マッサージ体に対して上部マッサージ体を前後方向を向く軸回りに揺動自在に連結する連結部と、前記下部マッサージ体に対して上部マッサージ体を幅方向内側に向かって弾性的に押圧する弾性部材と、を有しているとよい。
【００１２】
好ましくは、前記下部マッサージ体に対する上部マッサージ体の幅方向における傾斜角度の変化を計測することで、前記座部に着座した使用者の体型を判断する体型計測センサが設けられているとよい。
また、本発明の椅子型マッサージ機は、座部と、座部に着座した使用者の臀部を施療する座部マッサージ機構と、を備えた椅子型マッサージ機であって、前記座部マッサージ機構は、前記臀部の施療部を側方から揉みマッサージする横揉みマッサージ部材を備えており、前記横揉みマッサージ部材は、当該横揉みマッサージ部材の上端側を前記マッサージ部材の下端側に対して、幅方向に沿って揺動可能とする揺動部を備えていることを特徴とする。
【００１３】
好ましくは、前記揺動部は、駆動側に連結された下部マッサージ体と、前記下部マッサージ体の上方に配備された上部マッサージ体と、前記下部マッサージ体に対して上部マッサージ体を前後方向を向く軸回りに揺動自在に連結する連結部と、前記下部マッサージ体に対して上部マッサージ体を幅方向内側に向かって弾性的に押圧する弾性部材と、を有しているとよい。
【００１４】
好ましくは、前記下部マッサージ体に対する上部マッサージ体の幅方向における傾斜角度の変化を計測することで、前記座部に着座した使用者の体型を判断する体型計測センサが設けられているとよい。
【発明の効果】
【００１５】
本発明の椅子型マッサージ機によれば、座部マッサージ機構を臀部から太ももまでの施療部に移動させる座部マッサージ移動機構に簡単な構造を採用しつつも、座面から離れた位置にマッサージ機構を確実に収納することができ、収納時においては、使用者に対して痛みや異物感などの不快な使用感を使用者に与えることのない。
【図面の簡単な説明】
【００１６】
【図１】第１実施形態の椅子型マッサージ機の斜視図である。
【図２】座部マッサージ機構及び座部ガイドレールを左前側から見た場合の拡大図である。
【図３】座部マッサージ機構を右前側から見た場合の拡大図である。
【図４】座部マッサージ機構が座部ガイドレールの先端に位置する状態での椅子型マッサージ機の側面断面図である。
【図５】座部マッサージ機構が座部ガイドレールの中途側に位置する状態での椅子型マッサージ機の側面断面図である。
【図６】座部マッサージ機構が座部ガイドレールの後端に位置する状態での椅子型マッサージ機の側面断面図である。
【図７】座部マッサージ機構に設けられる横揉みマッサージ部材と下揉みマッサージ部材とを拡大して示した図である。
【図８】正面視において、椅子型マッサージ機の内部における、横揉みマッサージ部材と下揉みマッサージ部材と背部マッサージ部材との位置関係を示す図である。
【図９】正面斜め上側から見た場合の椅子型マッサージ機の内部における横揉みマッサージ部材と下揉みマッサージ部材と背部マッサージ部材との位置関係を示す図である。
【図１０】第２実施形態の座部マッサージ機構に設けられる横揉みマッサージ部材と下揉みマッサージ部材とを拡大して示した図である。
【発明を実施するための形態】
【００１７】
「第１実施形態」
以下、本発明の椅子型マッサージ機１の実施形態を、図面に基づき詳しく説明する。
図１は、第１実施形態の椅子型マッサージ機１を模式的に示したものである。
図１に示すように、第１実施形態の椅子型マッサージ機１は、使用者が着座する座部２と、座部２に着座した使用者がもたれかかる背もたれ部３と、を有している。この座部２は角棒状のフレーム部材を組み合わせた座部フレーム４で構成されており、背もたれ部３は座部２と同じく角棒状のフレーム部材を組み合わせた背部フレーム５にて構成されている。
【００１８】
さらに、上述した座部フレーム４には、座部２に着座した使用者の臀部を施療する座部マッサージ機構６と、座部マッサージ機構６を前後方向に案内する座部ガイドレール７と、が設けられている。また、背部フレーム５には、背もたれ部３にもたれかかる使用者の背部を施療する背部マッサージ機構８と、背もたれ部３の内側に設けられると共に背もたれ部３に沿って背部マッサージ機構８を上下方向に案内する背部ガイドレール９と、が設けられている。つまり、座部マッサージ機構６は座部ガイドレール７により前後方向に移動可能とされ、背部マッサージ機構８は背部ガイドレール９により上下方向に移動可能とされている。
【００１９】
そして、第１実施形態の椅子型マッサージ機１は、座部ガイドレール７が、背部ガイドレール９の下端に位置する背部マッサージ機構８のさらに下方を指向するように、後方下側に向かって傾斜した略直線状に延設されていることを特徴とするものとなっている。
以降では、まず第１実施形態の椅子型マッサージ機１に設けられる、座部２、座部マッサージ機構６、座部ガイドレール７、背もたれ部３、背部マッサージ機構８、背部ガイドレール９について説明する。
【００２０】
なお、椅子型マッサージ機１を説明する際には、図１に示すように、背もたれ部３を起立状態にして床面などの水平面に載置された椅子型マッサージ機１の高さ方向を上下方向とする。また、図１、図４、図９などに図示された方向を、左右方向（幅方向）や前後方向として椅子型マッサージ機１の説明を行う。これらの方向は、椅子型マッサージ機１に着座した使用者から見た上下方向、左右方向、前後方向と一致するものとなっている。
【００２１】
図１など示すように、座部２は、角棒状のフレーム部材を櫓状に組み合わせたフレーム構造体から成る座部フレーム４にて構成されている。座部フレーム４の上側には図示しないクッションなどが載置可能となっており、使用者の着座を可能としている。具体的には、座部フレーム４は、左右方向（幅方向）の外側に配備される外フレーム１０と、外フレーム１０の左右方向の内側に配備される内フレーム１１と、の２組のフレーム構造体を組み合わせて構成されている。
【００２２】
外フレーム１０は、上述した長尺のフレーム部材（棒状の枠体）を組み合わせて枠形状に形成されている。外フレーム１０のさらに外側（幅方向の外側）には、椅子型マッサージ機１のカバー１２が取り付けられており、外フレーム１０の内側に設けられた機械部分（可動部分）に使用者の手足が入り込むことを防止可能となっている。また、外フレーム１０の下側（枠体の基端側）には、前後左右の四隅に床面にフレーム部材が直接接触することを防止するゴムなどで形成された脚部１３（接地部）が設けられており、この脚部１３を介して外フレーム１０は床面に起立状態で設置可能となっている。また、外フレーム１０の幅方向内側、言い換えれば左右の外フレーム１０の内側には内フレーム１１が配設されている。
【００２３】
内フレーム１１は、平面視矩形とされた枠状のフレーム構造体で形成されており、外フレーム１０の上部で支持されることで、外フレーム１０が接触（接地）している床面から上方に浮き上がった状態（宙吊り状態）で支持可能となっている。内フレーム１１の内側には、上述した座部マッサージ機構６を前後方向に移動可能とする座部ガイドレール７が、内フレーム１１の左側及び右側にそれぞれ１本ずつ、合わせて左右で１組配備されていて、前後方向に沿って座部マッサージ機構６を案内可能としている。
【００２４】
図２及び図３に示すように、座部マッサージ機構６は、座部２に着座した使用者の施療部（臀部から太ももまでの施療部）をマッサージ可能な部材である。この座部マッサージ機構６はベース体１４の上に載置状態で取り付けられており、ベース体１４は座部ガイドレール７に移動可能に取り付けられていて、座部マッサージ機構６は前後方向に移動可能とされている。
【００２５】
また、座部マッサージ機構６は、使用者の施療部に対して揉み、叩き、掴みなどのマッサージ動作を行う座部マッサージ体１５を備えている。具体的には、第１実施形態の座部マッサージ機構６の座部マッサージ体１５は、臀部から太ももまでの施療部を下方から揉みマッサージする下揉みマッサージ部材１６と、下揉みマッサージ部材１６との間に施療部を挟み込んで押圧マッサージ行う横揉みマッサージ部材１７と、の２種類から構成されている。これらの下揉みマッサージ部材１６及び横揉みマッサージ部材１７は、上述した座部マッサージ機構６に設けられた１つの座部揉み駆動部１８（駆動モータ）で同時に駆動可能とされている。
【００２６】
具体的には、座部マッサージ機構６は、回転駆動力を発生する座部揉み駆動部１８（駆動モータ）と、この座部揉み駆動部１８で発生する回転駆動力により回転駆動される回転軸１９と、を備えている。本実施形態の椅子型マッサージ機１では、この座部揉み駆動部１８はベース体１４（座部マッサージ機構６）における左右方向のほぼ中央側に配備されており、座部揉み駆動部１８で発生した回転駆動力を、ウォームギアを用いた減速機構２０を介して、回転軸１９における左右方向の中途側に設けられたギアホイール２１に伝達している。また、ギアホイール２１の左右両側には下揉みマッサージ部材１６がそれぞれ設けられており、下揉みマッサージ部材１６のさらに幅方向外側には横揉みマッサージ部材１７が設けられていて、上述した下揉みマッサージ部材１６及び横揉みマッサージ部材１７は１基の座部揉み駆動部１８で発生する回転駆動力を用いて動作する構成となっている。
【００２７】
下揉みマッサージ部材１６は、座部マッサージ機構６の右側と左側とにそれぞれ配備されており、左右一対設けられている。それぞれの下揉みマッサージ部材１６は、回転軸１９の回転運動をカムを用いて変換することで、左右方向に往復して揺動可能とされている。
具体的には、下揉みマッサージ部材１６は、上述した回転軸１９に対して同伴回転する下揉み傾斜ボス部材２２と、下揉み傾斜ボス部材２２の外周側に基端側が回動自在に嵌め込まれた下揉みマッサージアーム２３と、下揉みマッサージアーム２３が下揉み傾斜ボス部材２２と一体に回動することを規制する下揉み規制部２４と、回転軸１９から離れる方向（前方上側及び後方上側）に突出した下揉みマッサージアーム２３の先端側に設けられた下揉み施療子２５と、を備えている。
【００２８】
下揉み傾斜ボス部材２２は、回転軸１９と同軸とされた略円筒状の部材であり、回転軸１９の軸心に対して傾斜した軸心回りを周回する下揉み傾斜カム面を外周面に有している。この下揉み傾斜カム面には下揉みマッサージアーム２３の基端側が摺動自在に嵌め込まれている。
下揉みマッサージアーム２３は、基端側に下揉み傾斜カム面に回動自在に嵌り込む環状の孔部を有しており、基端側から径外側（回転軸１９から離れる方向）に突出した先端側に、施療部に接触して施療を行う下揉み施療子２５を有している。
【００２９】
なお、本実施形態の椅子型マッサージ機１の場合、下揉みマッサージアーム２３は回転軸１９を基準として、回転軸１９の前側と後側とに向かって２又状に突出する構造となっており、それぞれの先端に下揉み施療子２５を有している。つまり、本実施形態の下揉みマッサージアーム２３は、やや上方に突出しつつ、いずれも水平方向に沿って這うように伸びており、使用者の臀部に沿いつつ、且つ下揉みマッサージ部材１６を配置するために上下方向に大きなスペースを確保しなくても良いように配慮されている。
【００３０】
また、２又状に分岐した下揉みマッサージアーム２３のうち、前方に伸びる前アーム部材２３Ｆと、後方に伸びる後アーム部材２３Ｒとは、先端の高さがほぼ同じとなるようになっており、それぞれの先端に取り付けられる前側の下揉み施療子２５と後側の下揉み施療子２５とはほぼ同じ高さとなっている。
一方、上述した下揉みマッサージアーム２３の基端側には、この下揉みマッサージアーム２３が下揉み傾斜ボス部材２２と同伴して回転することを規制する下揉み規制部材２６が設けられている。本実施形態の下揉み規制部材２６は下揉みマッサージアーム２３の基端側から前側と後側とに向かって突出する突起（下揉み規制突起）であり、下揉み傾斜ボス部材２２の前側及び後側に位置するベース体１４には下揉み規制部材２６と接触して下揉みマッサージアーム２３の回動を規制可能な下揉み規制板２７が設けられている。つまり、下揉みマッサージアーム２３の下揉み規制部材２６をベース体１４の下揉み規制板２７に接触させる下揉み規制部２４を設けることにより、下揉み傾斜ボス部材２２に対する下揉みマッサージアーム２３の同伴回転が規制される。その一方で、下揉み規制部２４（下揉み規制板２７）は下揉みマッサージアーム２３の左右方向に沿った揺動は規制しない。そのため、下揉み規制部２４（下揉み規制部材２６及び下揉み規制板２７）を設けることで、下揉みマッサージアーム２３は、左右方向を向く軸回りの回動を規制されたまま左右方向には揺動可能となる。
【００３１】
つまり、上述した下揉みマッサージ部材１６のマッサージ機構では、左右方向を向く軸回りに回転する回転軸１９の回転運動を、下揉み傾斜ボス部材２２、下揉みマッサージアーム２３、下揉み規制部２４、及び下揉み規制板２７を用いた変換機構により、左右方向に沿った並進運動に変換することで、下揉みマッサージ部材１６を左右方向に揺動可能としている。
【００３２】
なお、上述した左側の下揉みマッサージ部材１６と右側の下揉みマッサージ部材１６とでは、下揉み傾斜ボス部材２２に形成される下揉み傾斜カム面の傾斜方向は左右で反対方向を向くように（左右で鏡像に）なっている。つまり、左側の下揉みマッサージ部材１６に設けられた下揉みマッサージアーム２３が左方向に揺動する場合は、右側の下揉みマッサージ部材１６では下揉み傾斜カム面の傾斜方向が左右で反対になっているため、下揉みマッサージアーム２３が右方向に揺動し、左右一対の下揉みマッサージ部材１６、１６が互いに離反方向に揺動する。このようにして左右一対の下揉みマッサージ部材１６、１６が、左右方向に沿って互いに近接動作と離反動作とを繰り返し、左右一対の下揉みマッサージ部材１６、１６の間に位置する施療部に対して揉みマッサージを可能とする。
【００３３】
一方、上述した回転軸１９における左右一対の下揉みマッサージ部材１６、１６のさらに幅方向外側には、横揉みマッサージ部材１７が設けられている。この横揉みマッサージ部材１７も、下揉みマッサージ部材１６と同様に左右一対配備されている。これらの横揉みマッサージ部材１７のマッサージ機構も、回転軸１９の回転駆動力を、下揉みマッサージ部材１６と同様な変換機構により変換することで左右方向に沿って揺動する構成とされている。つまり、横揉みマッサージ部材１７は、横揉み傾斜ボス部材２８、横揉みマッサージアーム３２、横揉み傾斜カム面、横揉み規制部４４（横揉み規制部材２９、横揉み規制板３０）、及び横揉み施療子３１を備えている。この横揉みマッサージ部材１７が上述した下揉みマッサージ部材１６と異なっている点は、横揉み傾斜カム面の傾斜方向が下揉み傾斜カム面の傾斜方向とは左右で反対方向に（左右で鏡像に）なっている点である。
【００３４】
例えば、左側の下揉みマッサージ部材１６に着目した場合、下揉み傾斜カム面の傾斜方向が、下揉みマッサージアーム２３が右方向に揺動する方向に傾斜している場合は、同じ左側の横揉みマッサージ部材１７に設けられた横揉み傾斜カム面の傾斜方向は、横揉みマッサージアーム３２が左方向に揺動する方向に傾斜している。また、下揉み傾斜カム面の傾斜方向が、下揉みマッサージアーム２３が左方向に揺動する方向に傾斜している場合は、同じ左側の横揉みマッサージ部材１７に設けられた横揉み傾斜カム面の傾斜方向は、横揉みマッサージアーム３２が右方向に揺動する方向に傾斜している。
【００３５】
このようにして横揉みマッサージ部材１７は、下揉みマッサージ部材１６とは左右方向で反対方向に揺動を繰り返すため、互いに隣り合った横揉みマッサージ部材１７と下揉みマッサージ部材１６とは近接動作と離反動作とを繰り返し、両マッサージ部材の間に位置する施療部に対して挟みマッサージを行うことを可能としている。
なお、上述した横揉みマッサージアーム３２も下揉みマッサージアーム２３と同様に前後に２又状に分岐した構造となっている。この２又状に分岐した横揉みマッサージアーム３２のうち、前方に伸びる前アーム部材３２Ｆと、後方に伸びる後アーム部材３２Ｒとは、先端の高さがほぼ同じとなるようになっている。つまり、第１実施形態の場合では、前アーム部材３２Ｆよりも後アーム部材３２Ｒを長尺に形成することで、前側の横揉み施療子３１と後側の横揉み施療子３１とがほぼ同じ高さとなるようにしている。
【００３６】
それゆえ、第１実施形態の座部マッサージ移動機構３３で座部マッサージ機構６を前後方向に移動させると、前側の下揉み施療子２３と後側の下揉み施療子２３とがほぼ同じ高さを維持すると共に、前側の横揉み施療子３１と後側の横揉み施療子３１とがほぼ同じ高さを維持する、言い換えれば前施療子及び後施療子を同じ高さに維持することができるようになる。
【００３７】
上述した座部マッサージ機構６の下側には、座部マッサージ機構６を載置するベース体１４が設けられている。このベース体１４には、座部マッサージ機構６が載せられたベース体１４を前後方向に移動させる座部マッサージ移動機構３３が設けられている。
図２や図３に示す如く、この座部マッサージ移動機構３３は、ベース体１４に設けられた走行モータ３４と、走行モータ３４で発生する回転駆動力を用いて回転する走行軸３５と、座部ガイドレール７に噛み合うように走行軸３５の両端にそれぞれ設けられた走行ギア３６と、を備えている。
【００３８】
具体的には、第１実施形態の場合、走行ギア３６はベース体１４の後部に配備されており、ベース体１４の前部にはスライダが配備されている。そして、このスライダは、座部ガイドレール７の上側に、座部ガイドレール７と平行となるように形成されたスライド溝に嵌め込まれており、スライド溝の形成方向に沿ってベース体１４を案内できるようになっている。つまり、ベース体１４は、後側の走行ギア３６と、前側のスライダとの２点で支持されており、安定した姿勢を保持しつつ前後方向に移動可能とされている。
【００３９】
なお、第１実施形態の座部マッサージ移動機構３３はベース体１４の後側に走行ギア３６を設けているが、走行ギア３６の取り付け位置は後側でなくても良く、ベース体１４の前側などでも良い。
第１実施形態では、上述した走行モータ３４は、ベース体１４における座部揉み駆動部１８の左側に配備されている。この走行モータ３４の回転駆動力は、減速機構４５を介して走行モータ３４の後方に位置する走行軸３５に入力されている。また、上述した走行軸３５は、回転軸１９の後方に、回転軸１９と平行になるように（左右方向に軸心を向けて）配備されている。走行軸３５の左右方向の中途側には走行モータ３４の回転駆動力が入力されており、この回転駆動力を用いて走行軸３５は左右方向を向く軸回りに回転自在となっている。さらに、走行ギア３６は、走行軸３５の左右両端にそれぞれ設けられている。これらの走行ギア３６（ピニオンギア）は、ベース体１４の左右両端から幅方向外方に向かって突出するように設けられており、座部ガイドレール７上に設けられたラックギア３７に上方から噛み合う構成となっている。
【００４０】
なお、本発明の椅子型マッサージ機１は、座部ガイドレール７の形状や配設方向に特徴を有している。ただ、座部ガイドレール７に関しては後で詳しく説明することとし、先に背もたれ部３の構成について説明する。
図１に示すように、上述した背もたれ部３は、座部２の後方に位置した部材であり、座部２に着座した使用者がもたれかかることができるように厚みを持った平たい板状に形成されている。背もたれ部３の内側には、上述した背部フレーム５が設けられており、この背部フレーム５には使用者の肩部から背中を通って腰までの広い範囲に対して揉み、叩き、又は掴みなどのマッサージを行う背部マッサージ機構８と、この背部マッサージ機構８を背もたれ部３の傾斜方向に沿って案内可能な背部ガイドレール９と、が設けられている。
【００４１】
背部マッサージ機構８は、上述した座部マッサージ機構６と同様に、前方に突出した背部マッサージ部材３８を左右に一対備えており、これらの背部マッサージ部材３８を背部マッサージ機構８に設けられた背部駆動モータを用いて左右方向に揺動させることで、背部の施療部を施療可能となっている。
つまり、背部マッサージ機構８は、背部の施療部に接触してこの施療部を施療可能な背部施療子４０と、背部施療子４０が先端に設けられた背部マッサージアーム４１と、を有しており、背部マッサージアーム４１を左右方向に揺動させることで、使用者の背部の施療部を施療可能となっている。
【００４２】
具体的には、背もたれ部３の前側は前方に向かって開口していて、この開口した前側から背部マッサージ機構８は背部マッサージ部材３８を前方に突出させることが可能となっている。そして、この前方に突出した背部マッサージ部材３８の先端（前端）には、背部施療子４０が設けられている。
なお、第１実施形態の背部マッサージ部材３８は、左右に背部施療子４０を１個ずつ備えた構成であるが、背部施療子４０の設置数は左右に１個ずつでなくても良い。例えば、左右に複数個の背部施療子４０を設置しても良いし、背部マッサージ部材３８は揉みマッサージ以外のマッサージ動作を行うものでも良い。
【００４３】
また、上述した背部マッサージ機構８は、背部ガイドレール９に沿って昇降可能な昇降基体４２に設けられている。具体的には、背部ガイドレール９は、左右に１本ずつ、合わせて２本設けられている。そして、それぞれの背部ガイドレール９には、背部マッサージ機構８の下側に設けられた昇降ギア４３（ピニオンギア）が噛み合っている。この昇降ギア４３は、昇降基体４２の左右両側から突出するように配備されており、背部マッサージ部材３８を駆動させるものとは別に昇降基体４２に設けられた昇降モータで発生する回転駆動力を受けて回転駆動可能となっている。
【００４４】
上述した背部ガイドレール９は、背もたれ部３の内部を上下方向に貫通するように配備されている。具体的には、背部ガイドレール９には、前述の昇降ギア４３が噛み合うラックギア３７が形成されており、これらのラックギア３７は前方に歯先を向けるようにして取り付けられている。また、背部ガイドレール９は、上下方向の中途位置を基準として、この中途側よりも上側の部分が直線状に形成されており、また中途側よりも下側の部分は前方に向かって湾曲するように形成されており、特に腰部の施療部に対して背部施療子４０を強く押し当てられるようになっている。
【００４５】
そして、上述した背部ガイドレール９の下端は、上述した座部フレーム４の内フレーム１１の高さとほぼ同じ高さとされている。具体的には、座部フレーム４を構成する内フレーム１１は、後方に向って下側に傾斜した状態で取り付けられており、前後方向の前端が上下方向で最も高くなっている。この最も高い位置にあるフレーム部材の前端の高さと、上述した背部ガイドレール９の下端は同じ高さとなっている。
【００４６】
一方、本発明の椅子型マッサージ機１は、座部２の内側（内フレーム１１の内側）において、座部ガイドレール７は、背部ガイドレール９の下端に位置する背部マッサージ機構８の下方を指向するように、後方下側に向かって傾斜した略直線状に延設されていることを特徴とする。
具体的には、上述した座部マッサージ機構６を座部ガイドレール７の後端に案内すると共に、背部マッサージ機構８を背部ガイドレール９の下端に案内し且つ位置させた際に、座部マッサージ機構６の下揉みマッサージ部材１６が、背部ガイドレール９の下端に位置する背部マッサージ機構８のさらに下方、言い換えれば背部マッサージ部材３８のさらに下方に位置するように構成されている。また、座部マッサージ機構６と背部マッサージ機構８の位置が同じ場合に、座部マッサージ機構６の横揉みマッサージ部材１７が、背部ガイドレール９の下端に位置する背部マッサージ機構８のさらに幅方向の外側に位置するように構成されている。
【００４７】
このように座部マッサージ機構６を背部マッサージ機構８の幅方向外側や下方にオフセットして配置すれば、上下方向にある程度の厚みを備えた座部マッサージ機構６、特に上下方向の厚みが大きい横揉みマッサージ部材１７を採用した場合であっても、背部マッサージ機構８の背部施療子４０や背部マッサージ部材３８との位置的な干渉を引き起こすことなく、座部マッサージ機構６を背もたれ部３の下方にコンパクトに収納することができる。つまり、本発明の椅子型マッサージ機１は、機械式で施療部を施療可能なマッサージ機構を、臀部から太ももまでの施療部に移動可能なものでありながら、座面から離れた位置にマッサージ機構をコンパクトに収納することができ、製造コストも低くく抑えることができるものとなっている。
【００４８】
次に、本発明の椅子型マッサージ機１の特徴である座部ガイドレール７の形状や配置について説明する。
図２に示すように、ラックギア３７が形成された座部ガイドレール７は、座部フレーム４の左側と右側とにそれぞれ設けられており、それぞれの座部ガイドレール７のラックギア３７には、上方から座部マッサージ機構６の走行ギア３６が噛み合っている。つまり、上述した座部ガイドレール７では、ラックギア３７に走行ギア３６を噛み合わせた状態で、走行モータ３４で発生する回転駆動力を用いて走行ギア３６を回転させることで、座部マッサージ機構６が前後方向に移動する構成となっている。
【００４９】
また、座部ガイドレール７は、ストレートの棒状の外観を備えており、後方に向かうにつれて下がるように傾斜した状態で取り付けられている。本実施形態の椅子型マッサージ機１の場合であれば、座部ガイドレール７の前端は、上述した上部フレーム部材の前端よりやや低い位置に取り付けられており、座部ガイドレール７の後端は、座部フレーム４の上下方向の半分程度（1/2程度）の高さに取り付けられていて、座部ガイドレール７は上部フレーム部材に対して１５°〜２０°程度の角度に傾斜している。
【００５０】
上述した座部ガイドレール７を用いて座部マッサージ機構６を収容する際には、図４〜図６に示すような手順で座部マッサージ機構６を収容すればよい。
すなわち、図４に示すように、座部ガイドレール７の前端に走行ギア３６が位置している状態においては、座部マッサージ機構６の回転軸１９は走行ギア３６よりも前方に位置しているため、回転軸１９を中心に取り付けられた下揉みマッサージアーム２３や横揉みマッサージアーム３２も、上部フレーム部材よりも上側に突出するように配備されるものとなる。そのため、図４に示す位置に座部マッサージ機構６が存在する場合は、下揉みマッサージアーム２３や横揉みマッサージアーム３２を用いて使用者の施療部を確実にマッサージすることができる。
【００５１】
一方、図５に示すように、走行ギア３６を回転させて、走行ギア３６の位置を座部ガイドレール７の前後方向の中途側まで移動させた状態においては、横揉みマッサージアーム３２は上部フレーム部材よりも高い位置に存在しているが、下揉みマッサージアーム２３は上部フレーム部材と同じ高さかやや高い位置に存在するようになる。その結果、下揉みマッサージアーム２３の先端に設けられた下揉み施療子２５を下方から太ももなどの施療部に押し当てつつ、横揉みマッサージアーム３２の先端に設けられた横揉み施療子３１を幅方向外方から押し当てて施療を行うことが可能となる。
【００５２】
さらに、図６に示すように、走行ギア３６を回転させて、走行ギア３６の位置を座部ガイドレール７の後端まで移動させた状態においては、下揉みマッサージアーム２３は上部フレーム部材よりも低い位置に存在するようになる。また、横揉みマッサージアーム３２は、クッション材の厚みなどを考慮した場合、座面よりも低い位置に存在するようになる。その結果、下揉みマッサージアーム２３の先端に設けられた下揉み施療子２５、及び横揉みマッサージアーム３２の先端に設けられた横揉み施療子３１を、座面よりも下側に収容することができるようになり、座面から離れた位置（使用者が着座しても不快感を感じない低い位置）にマッサージ機構を収納することが可能となる。
【００５３】
上述したように座部ガイドレール７を後方下側に向かって傾斜した略直線状に配備すれば、座部ガイドレール７に沿って座部マッサージ機構６を後方に移動させることで、座部マッサージ機構６を座面の下側に収容することが可能となる。また、座部ガイドレール７を略直線状に形成できれば、従来の椅子型マッサージ機１のように湾曲させたものに比べると、部品の製造コストを安くすることができるようになり、椅子型マッサージ機１の価格をコストダウンすることが可能となる。
【００５４】
ところで、上述したように、本実施形態の椅子型マッサージ機１は、座部マッサージ機構６の下揉みマッサージアーム２３は、回転軸１９を基準として、回転軸１９の前側と後側とに向かって水平に先端を伸ばす構造となっており、上下方向に沿った厚みを小さくできるようになっている。このように上下方向の厚みが薄い下揉みマッサージアーム２３を採用すれば、座部マッサージ機構６を座部ガイドレール７の後端に案内すると共に、背部マッサージ機構８を背部ガイドレール９の下端に案内し且つ位置させた際に、座部マッサージ機構６の下揉みマッサージ部材１６が、背部ガイドレール９の下端に位置する背部マッサージ機構８のさらに下方、言い換えれば背部マッサージ部材３８のさらに下方に位置させることが可能となる。その結果、背部マッサージ機構８の下方に設けられた限られたスペースに、下揉みマッサージ部材１６をコンパクトに収容することも可能となる。
【００５５】
また、図７及び図８に示すように、横揉みマッサージ部材１７は、横揉みマッサージアーム３２の形状が下揉みマッサージ部材１６の下揉みマッサージアーム２３と大きく異なっている。すなわち、横揉みマッサージ部材１７に設けられる横揉みマッサージアーム３２は、ベース体１４の左右端部よりも幅方向外方に向かって大きく膨らむように湾曲してから、下揉みマッサージアーム２３の３倍程度の高さまで上方に立ち上がるような形状に形成されている。このような上方に大きく立ち上がった形状に横揉みマッサージアーム３２を形成すれば、横揉みマッサージアーム３２の先端に設けられる横揉み施療子３１の位置を下揉み施療子２５の位置よりも高くすることができ、太ももなどの施療部を上方から下方に向かって押しつけるように押圧マッサージすることが可能となる。
【００５６】
また、横揉みマッサージアーム３２を幅方向外側に大きく膨らむように湾曲した形状とすれば、座部マッサージ機構６を座部ガイドレール７の後端に案内すると共に、背部マッサージ機構８を背部ガイドレール９の下端に案内し且つ位置させた際に、座部マッサージ機構６の横揉みマッサージ部材１７が、背部ガイドレール９の下端に位置する背部マッサージ機構８のさらに幅方向の外側に側面視で重複（オーバラップ）させた状況で位置させることが可能となる（図６参照）。
【００５７】
つまり、図８に示すように、本実施形態の椅子型マッサージ機１では、座部マッサージ機構６を座部ガイドレール７の後端まで移動させた場合に、背部マッサージ機構８の背部施療子４０から見た場合に、横揉み施療子３１が背部施療子４０の幅方向の外側に位置し、下揉み施療子２５が背部施療子４０の下方に位置するため、横揉み施療子３１と背部施療子４０とが位置的に干渉することがなく、下揉み施療子２５と背部施療子４０とが位置的に干渉することもない。
【００５８】
そのため、機械式で施療部を施療可能なマッサージ機構を移動可能に備えたものでありながら、スペースを取りやすい横揉みマッサージ部材１７及び下揉みマッサージ部材１６を、収容スペースが限られた座面から離れた位置に収納することが可能となる。
さらに、上述した横揉みマッサージアーム３２は、下揉みマッサージアーム２３と同様に、回転軸１９を基準として前側と後側とに伸びており、それぞれの下揉みマッサージアーム２３の先端（上端）には横揉み施療子３１が形成されている。これらの前側と後側の横揉み施療子３１は、互いに距離をあけて配備されており、同じ高さを維持したまま、座部ガイドレール７に沿って移動可能とされている。
【００５９】
このような横揉みマッサージ部材１７を設ければ、座部ガイドレール７に沿って横揉みマッサージ機構を移動させても、横揉み施療子３１の高さや位置関係が変化することはなく、臀部から太ももまでの施療部に横揉み施療子３１を確実に接触させて施療を行うことが可能となる。
「第２実施形態」
次に、第２実施形態の椅子型マッサージ機１について説明する。
【００６０】
図１０に示すように、第２実施形態の椅子型マッサージ機１は、横揉みマッサージ部材１７が上下２部材に分かれており、上端側が下端側に対して左右方向に弾性的に変位可能に取り付けられていて、使用者の体型に合わせて横揉みマッサージ部材１７が左右方向に広がったり狭まったりすることで、さまざまな体型の使用者に対して良好なマッサージを可能とする構成となっている。
【００６１】
例えば、体型が大きい使用者が座部２に着座した場合、太ももなどの施療部の位置は左右方向の外側に位置している。このような施療部に対応するためには、横揉みマッサージ部材１７の位置を左右方向の外側にずらすのが好ましい。しかし、横揉みマッサージ部材１７が左右方向に固定されていると、このような横揉みマッサージ部材１７の移動が困難になる。しかし、第２実施形態に示すように横揉みマッサージ部材１７が弾性力に抗して幅方向外側に広がるように変形すれば、左右方向の外側に位置する施療部に対しても横揉み施療子３１を確実に押し当てることができるので、左右方向に幅がある大柄の使用者であっても、施療部を確実に施療することが可能となる。
【００６２】
一方、体型が小さい使用者が座部３に着座した場合、横揉みマッサージ部材１７には幅方向内側に向かって横揉み施療子３１同士の間隔が狭まるように弾性力が加わっているため、太ももなどの施療部の位置が左右方向の内側である場合には、横揉みマッサージ部材１７が弾性力で自ずと左右方向の内側に移動する。そのため、使用者の太ももなどの施療部に横揉み施療子３１を確実に押し当てることができるので、体型が小さい使用者であっても、施療部を確実に施療することが可能となる。
【００６３】
具体的には、上述した第２実施形態の横揉みマッサージ部材１７は、下側（駆動側）に配備された下部マッサージ体５０と、下部マッサージ体５０の上部に配備された上部マッサージ体５１と、下部マッサージ体５０に対して上部マッサージ体５１を前後方向を向く軸（揺動軸５２）回りに揺動自在に連結する連結部５３と、下部マッサージ体５０に対して上部マッサージ体５１を幅方向内側に向かって付勢する弾性部材５４と、を有している。次に、、第２実施形態の横揉みマッサージ部材１７を構成する下部マッサージ体５０、上部マッサージ体５１、連結部５３、及び弾性部材５４について説明する。
【００６４】
下部マッサージ体５０は、上述した回転軸１９における左右一対の下揉みマッサージ部材１６、１６のさらに幅方向外側に配備されている。この下部マッサージ体５０は、第１実施形態と同様に左右一対配備されている。これらの下部マッサージ体５０も、回転軸１９の回転駆動力を、下揉みマッサージ部材１６と同様な変換機構（横揉み傾斜ボス部材２８、横揉み傾斜カム面、及び横揉み規制部４４）により変換することで左右方向に沿って揺動する構成とされている。
【００６５】
また、下部マッサージ体５０は、下揉みマッサージアーム２３と同じ高さまで上方に立ち上がるような形状に形成されており、上端は前後方向の中央側が上方に向かって凸状に突出する形状とされている。この上方に突出した部分には、前後方向に下部マッサージ体を貫通する貫通孔５５が形成されており、貫通孔５５を前後方向に貫通するように揺動軸５２が設けられている。
【００６６】
上部マッサージ体５１は、下部マッサージ体５０の上端から幅方向外方に向かって大きく膨らむように湾曲してから、下揉みマッサージアーム２３の３倍程度の高さまで上方に立ち上がるような形状に形成されている。
具体的には、上部マッサージ体５１は、上部が前方と後方とに二股に別れた側方視で略Ｖ字状に形成された部材である。上部マッサージ体５１の下部は、前後方向の中途側が上方に向かって矩形状に凹んだ門型形状に形成されている。この門型形状に形成された部分には、前後方向に上部マッサージ体５１を貫通する連通孔５６が形成されており、上述した揺動軸５２が貫通孔５５と連通孔５６とを連通している。
【００６７】
連結部５３は、上述した下部マッサージ体５０の貫通孔５５と、上部マッサー体５１の連通孔５６と、貫通孔５５と連通孔５６とを連通する揺動軸５２と、を有している。この揺動軸５２は、ほぼ前後方向を向くように配備されており、下部マッサージ体５０に対して上部マッサージ体５１を前後方向を向く軸回りに揺動自在に連結している。
弾性部材５４は、下部マッサージ体５０に対して上部マッサージ体５１を幅方向内側に向かって付勢する部材であり、本実施形態ではコイルバネが用いられている。このコイルバネ（弾性部材５４）は、下部マッサージ体５０の貫通孔５５と、上部マッサー体３１の連通孔５６との間に配備されており、揺動軸５２の回りにを巻き回すように配備されていて、下部マッサージ体５０に対して上部マッサージ体５１を幅方向内側に向かって押圧する方向に付勢力（弾性力）を発生可能となっている。
【００６８】
体型計測センサは、下部マッサージ体５０の姿勢を固定したまま横揉みマッサージ部材１７を前後方向に向かって移動させた場合に、下部マッサージ体５０に対する上部マッサージ体５１の傾斜角度（幅方向内側乃至は外側への傾斜角度）の変化を計測することで、座部２に着座した使用者の体型を判断するものである。
例えば、下部マッサージ体５０に回転駆動力が伝達しないように、言い換えれば回転軸１９の回転を停止した状態で、横揉みマッサージ部材１７を前方から後方に向かって座部ガイドレール７を用いて移動させる。ここで、座部マッサージ機構６が座部ガイドレール７の前端に位置する状態では、使用者の左右方向のサイズに比べて左右の横揉みマッサージ部材１７の横揉み施療子３１同士の間隔の方が広くなっている場合を考える。この場合、上部マッサージ体５１は施療部に当たらず、上部マッサージ体５１は弾性部材５４の弾性力で最も左右方向の内側に偏った状態となる。
【００６９】
ところが、座部マッサージ機構６を座部ガイドレール７の後端側にさらに移動すると、使用者の左右方向のサイズと左右の横揉みマッサージ部材１７の横揉み施療子３１同士の間隔とがやがて等しくなり、上部マッサージ体５１が施療部に当たって、上部マッサージ体５１が弾性部材５４の弾性力に抗して左右方向の外側に揺動し始める。この上部マッサージ体５１の揺動を、体型計測センサで計測すれば、使用者の体型（左右方向のサイズがどの程度であるか）を判断することができる。
【００７０】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００７１】
例えば、本実施形態では、座部ガイドレール７の具体的な構成としてラックアンドピニオン機構を採用していたが、他の移動機構を用いてもよい。同様に、背部ガイドレール９の具体的な構成としてラックアンドピニオン機構を採用してもよく、外周面に送りネジが形成されたシャフト機構のような他の移動機構を用いてもよい。
また、下揉み施療子２５と横揉み施療子３１に関し、下揉み施療子２５と横揉み施療子３１とを同位相で左右方向に揺動させることで、使用者の臀部の下部と側部とを効果的に揉みマッサージできる。一方で、下揉み施療子２５と横揉み施療子３１とを逆位相で左右方向に揺動させるようにすると、施療部を下揉み施療子２５と横揉み施療子３１とで挟み込むようにマッサージすることも可能となる。
【００７２】
また、本実施形態では、座部揉み駆動部としての駆動モータ１８と、座部マッサージ機構６を前後に移動させるための走行モータ３４とを備える２モータ式を開示しているが、両モータ１８，３４を共通化し１モータ式とすることも可能である。
【符号の説明】
【００７３】
１  椅子型マッサージ機
２  座部
３  背もたれ部
４  座部フレーム
５  背部フレーム
６  座部マッサージ機構
７  座部ガイドレール
８  背部マッサージ機構
９  背部ガイドレール
１０  外フレーム
１１  内フレーム
１２  カバー
１３  脚部
１４  ベース体
１５  座部マッサージ体
１６  下揉みマッサージ部材
１７  横揉みマッサージ部材
１８  座部揉み駆動部（駆動モータ）
１９  回転軸
２０  減速機構
２１  ギアホイール
２２  下揉み傾斜ボス部材
２３  下揉みマッサージアーム
２３Ｆ  前アーム部材（下揉み）
２３Ｒ  後アーム部材（下揉み）
２４  下揉み規制部
２５  下揉み施療子
２６  下揉み規制部材
２７  下揉み規制板
２８  横揉み傾斜ボス部材
２９  横揉み規制部材
３０  横揉み規制板
３１  横揉み施療子
３２  横揉みマッサージアーム
３２Ｆ  前アーム部材（横揉み）
３２Ｒ  後アーム部材（横揉み）
３３  座部マッサージ移動機構
３４  走行モータ
３５  走行軸
３６  走行ギア
３７  ラックギア
３８  背部マッサージ部材
４０  背部施療子
４１  背部マッサージアーム
４２  昇降基体
４３  昇降ギア（ピニオンギア）
４４  横揉み規制部
４５  減速機構
５０  下部マッサージ体
５１  上部マッサージ体
５２  揺動軸
５３  連結部
５４  弾性部材
５５  貫通孔
５６  連通孔
【図１】
2019141571.tif 000003
【図２】
2019141571.tif 000004
【図３】
2019141571.tif 000005
【図４】
2019141571.tif 000006
【図５】
2019141571.tif 000007
【図６】
2019141571.tif 000008
【図７】
2019141571.tif 000009
【図８】
2019141571.tif 000010
【図９】
2019141571.tif 000011
【図１０】
2019141571.tif 000012